(57)【要約】【課題】予約したスキャン、プリントジョブを操作画面上で簡単に変更、削除、確認できるようにする。また、スキャナ、プリンタを別々に使用するジョブではそれぞれを予約することができる。【解決手段】スキャンジョブ、プリントジョブ、コピージョブ処理の時間帯を前もって予約設定する設定手段と、予約設定を管理する管理手段と、管理手段が管理している予約情報を表示するための表示手段と、表示された予約状況から所定の予約されたジョブを選択する手段と、選択されたジョブを移動、もしくは削除する移動、削除手段と、を有し使用者が機器の予約状況を確認、移動、削除することが可能な画像入出力装置。【選択図】　　　　図１
2004032054.tif 000002
【特許請求の範囲】
【請求項１】
スキャンジョブ、プリントジョブ、コピージョブ処理の時間帯を前もって予約設定する設定手段と、
予約設定を管理する管理手段と、
管理手段が管理している予約情報を表示するための表示手段と、
表示された予約状況から所定の予約されたジョブを選択する手段と、
選択されたジョブを移動、もしくは削除する移動、削除手段と、
を有し、使用者が機器の予約状況を確認、移動、削除することが可能な画像入出力装置。
【請求項２】
スキャンジョブ、プリントジョブ、コピージョブ処理の時間帯を前もって予約設定する設定手段と、
予約設定を管理する管理手段と、
管理手段が管理している予約情報を送信するための送信手段と、
管理手段が管理しているジョブを移動、もしくは削除する移動、削除手段と、予約情報の変更情報を受信する受信手段と、
を有し、送信手段から得られた予約情報によって、使用者が機器の予約状況を確認することが可能であり、受信した変更情報に基づいて移動削除手段により変更することを特徴とする画像入出力装置。
【請求項３】
スキャンジョブと、プリントジョブの予約時間が重なったとしても、予約可能とすることを特徴とする請求項１又は２の画像入出力装置。
【請求項４】
先行するジョブが予約時間と重なったとき、先行するジョブを続けるか、終了させるかを予約時に設定できる先行ジョブ中断設定手段を有する請求項１，２又は３の画像入出力装置。
【発明の詳細な説明】
【０００１】
【発明の属する技術分野】
本発明は、画像入力装置と画像出力装置に関するものであり、特に時刻を指定して所定時間、予約可能な画像入出力装置に関する発明である。
【０００２】
【従来の技術】
近年、複写機を画像入出力装置として使用することが一般的になってきた。例えば複写機のスキャナ部を、スキャナとして、またプリンタ部をプリンタとして使用することができる。このスキャンとプリントは全く別のジョブとして動作させることも可能であり、スキャン中にプリントしたり、その逆もできる。さらには複数のジョブを投入することも可能になってきている。
【０００３】
一方、ある時刻を指定してその機器を占有使用するために、予約機構をもった機器が考案されている。
【０００４】
【発明が解決しようとする課題】
しかしながら、従来技術では予約されているが、その予約時刻や時間を確認する方法がなく、使用者は非常に不便である。また、予約の変更や削除方法も考えられていない。さらにはスキャナ、プリンタを別々に使用するジョブについては全く考慮されていない。
【０００５】
【課題を解決するための手段】
本発明請求項１は
スキャンジョブ、プリントジョブ、コピージョブ処理の時間帯を前もって予約設定する設定手段と、
予約設定を管理する管理手段と、
管理手段が管理している予約情報を表示するための表示手段と、
表示された予約状況から所定の予約されたジョブを選択する手段と、
選択されたジョブを移動、もしくは削除する移動、削除手段と、
を有し、使用者が機器の予約状況を確認、移動、削除することが可能な画像入出力装置である。
【０００６】
本発明請求項２は、
スキャンジョブ、プリントジョブ、コピージョブ処理の時間帯を前もって予約設定する設定手段と、
予約設定を管理する管理手段と、
管理手段が管理している予約情報を送信するための送信手段と、
管理手段が管理しているジョブを移動、もしくは削除する移動、削除手段と、予約情報の変更情報を受信する受信手段と、
を有し、送信手段から得られた予約情報によって、使用者が機器の予約状況を確認することが可能であり、受信した変更情報に基づいて移動削除手段により変更することを特徴とする画像入出力装置。
である。
【０００７】
本発明請求項３は
スキャンジョブと、プリントジョブの予約時間が重なったとしても、予約可能とすることを特徴とする請求項１又は２の画像入出力装置。
である。
【０００８】
本発明請求項４は
先行するジョブが予約時間と重なったとき、先行するジョブを続けるか、終了させるかを予約時に設定できる先行ジョブ中断設定手段を有する請求項１，２又は３の画像入出力装置。
である。
【０００９】
従って予約時刻や時間を確認でき、その予約の変更や削除方法も可能になる。また、スキャナ、プリンタを別々に使用するジョブについては同一時刻に予約ができるようになる。
【００１０】
【発明の実施の形態】
本発明は画像入出力装置によるスキャン動作、複写動作、ホストコンピュータからのプリント動作を操作部から予約、変更、もしくはホストコンピュータから予約、変更という形態になる。
【００１１】
（実施例１）
以下、本発明にかかる一実施形態について、図面を参照して詳細に説明する。
【００１２】
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、Ｃｏｎｔｒｏｌｌｅｒ　Ｕｎｉｔ　２０００、ユーザーインターフェースである操作部２０１２から構成される。スキャナ部２０７０、プリンタ部２０９５、操作部２０１２は、それぞれＣｏｎｔｒｏｌｌｅｒ　Ｕｎｉｔ　２０００に接続され、Ｃｏｎｔｒｏｌｌｅｒ　Ｕｎｉｔ　２０００は、ＬＡＮ　２０１１などのネットワーク伝送手段、公衆回線に接続されている。公衆回線からはカラー画像送信を含むＧ３、Ｇ４ファックスによる送信が可能である。
【００１３】
また、ＬＡＮ　２０１１には、画像形成装置２００と同様の機器構成をもつ他の画像形成装置２２０、２３０が接続されえている。また、パーソナルコンピュータ（以下ＰＣ）２４０が接続されていて、ＦＴＰ、ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ　Ｕｎｉｔ
２２００、２３００に接続されている。
【００１４】
図２は、画像形成装置の構成を説明するブロック図である。Ｃｏｎｔｒｏｌｌｅｒ　Ｕｎｉｔ　２０００は画像入力デバイスであるカラースキャナ２０７０や画像出力デバイスであるカラープリンタ２０９５と接続し、一方ではＬＡＮ２０１１や公衆回線（ＷＡＮ）２０５１接続することで、画像情報やデバイス情報の入出力を行う為のコントローラである。ＣＰＵ２００１はシステム全体を制御するコントローラである。ＲＡＭ２００２はＣＰＵ２００２が動作するためのシステムワークメモリであり、画像データを一時記憶するための画像メモリでもある。
【００１５】
ＲＯＭ２００３はブートＲＯＭであり、システムのブートプログラムが格納されている。ＨＤＤ２００４はハードディスクドライブで、システムソフトウェア、画像データを格納する。Ｔｉｍｅｒ２００９はタイマー機能を有する。このタイマー機能を使って現時刻を生成している。操作部Ｉ／Ｆ２００６は操作部（ＵＩ）２０１２とインターフェース部で、操作部２０１２に表示する画像データを操作部２０１２に対して出力する。
【００１６】
また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、画像情報の入出力を行う。画像圧伸部２０４０は、多値画像データはＪＰＥＧ、２値画像画像データはＪＢＩＧ、ＭＭＲ、ＭＲ、ＭＨの圧縮伸張処理を行う。以上のデバイスがシステムバス２００７上に配置される。Ｉｍａｇｅ　Ｂｕｓ　Ｉ／Ｆ２００５はシステムバス２００７と画像データを高速で転送する画像バス２００８を接続し、データ構造を変換するバスブリッジである（画像はシステムバス上では圧縮され、画像バス上は非圧縮の画像データが流れるよう変換される。）。
【００１７】
画像バス２００８は、ＰＣＩバスまたはＩＥＥＥ１３９４または専用バスで構成される。画像バス２００８上には以下のデバイスが配置される。ラスターイメージプロセッサ（ＲＩＰ）２０６０はホストコンピュータからのＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。また入力された画像がカラー原稿か白黒原稿かを画像の彩度信号から判断しその結果を保持する機能を有する。
【００１８】
プリンタ画像処理部２０９０は、出力画像データに対し補正、加工、編集を行う。画像回転２０３０はスキャナ画像処理と連携して、スキャナからの画像読み込みと同時に画像を回転しメモリ上に格納したり、メモリ上にある画像を回転し、メモリ上に格納、もしくはメモリ上にある画像をプリンタ画像処理部と連携して回転しながら印字出力することができる。解像度変換２０３１はメモリ上にある画像を解像度変換処理し、メモリ上に格納する。色空間変換２０３２はマトリクス演算により、たとえばメモリ上にあるＹＵＶ画像をＬａｂ画像に変換し、メモリ上に格納する。階調変換２０３３はたとえばメモリ上にある８ｂｉｔ、２５６階調の画像を誤差拡散処理などの手法により１ｂｉｔ、２階調に変換し、メモリ上に格納する。
【００１９】
画像回転２０３０、解像度変換２０３１、色空間変換２０３２、階調変換２０３３はそれぞれ連結して動作することが可能で、たとえばメモリ上の画像を画像回転、解像度変換する場合は、両処理をメモリを介さずに行うことができる。
【００２０】
図３にスキャナ画像処理２０８０の詳細説明を示す。スキャナから入力されたＲＧＢ各８ｂｉｔの輝度信号はマスキング２５０１によりＣＣＤのフィルタ色に依存しない標準的なＲＧＢ色信号に変換される。変倍２５０２によって変倍の必要がある場合は変倍を行う。フィルタ２５０３では画像をぼかしたり、メリハリをつける処理が行われる。ガンマ２５０４では画像全体の濃度を濃くあるいは薄くするように処理が行われる。原稿がカラーか白黒かを判断するために変倍前の画像信号を色空間変換２５０５によって公知のＬａｂに変換する。
【００２１】
このうちａ，ｂは色信号成分を表しており、比較器２５０５内の所定のレベル以上であれば有彩色、そうでなければ無彩色として１ｂｉｔの判定信号を比較器２５０５から出力する。カウンタ２５０７は比較器からの出力を計測する。文字／写真判定は画像から文字エッジを抽出し、画像を文字と写真に分離する機能である。出力として、文字写真判定信号が得られる。この信号も画像とともにメモリやＨＤに格納され、印刷時に使用される。
【００２２】
画像入出力デバイスを図４に示す。画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え（２０７１）、フィーダ２０７２は原稿用紙を１枚ずつフィードし原稿画像の読み取り動作を行う。
【００２３】
画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００２４】
操作部２０１２の構成を図５に示す。ＬＣＤ表示部２０１３は、ＬＣＤ上にタッチパネルシート２０１９が貼られており、システムの操作画面およびソフトキーを表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザーＩＤを入力する時に用いる。リセットキー２０１７は操作部からの設定を初期化する時に用いる。
【００２５】
図６は本発明の実施例を示す画像形成装置システムの操作部の構成を説明するブロック図である。画像形成装置において、２００１は制御ＣＰＵで、２００３のプログラム用ＲＯＭに記憶された制御プログラム等に基づいてシステムバス２００７に接続される各種デバイスとのアクセスを総括的に制御し、画像入力部インタフェース２０７１を介して接続されるスキャナ２０７０から入力情報を読み込み、印刷部インタフェース２０９６を介して接続される印刷部２０９５に出力情報としての画像信号を出力する。
【００２６】
２００２は２００１のＣＰＵの主メモリ、ワークエリア等として機能するＲＡＭである。２０１９のタッチパネル、２０１４〜２０１７のハードキーから、ユーザ入力を受け取り操作入力部Ｉ／Ｆ２００６１を介して、操作内容を取得する。取得した操作内容と前述の制御プログラムにもとづいて、ＣＰＵ２００１において表示画面データが生成され、画面出力デバイスを制御する出力デバイスコントローラ２００６２を介して、ＬＣＤやＣＲＴなどの画面出力デバイス２０１３に表示画面を出力する。
【００２７】
次に本発明の実施例について、ＬＣＤ表示面２０１３に表示される画面を用いて説明する。
【００２８】
図７は、本実施例の画像形成装置における初期画面であり、各画像形成機能設定後に戻ってくる標準画面でもある。３１０１はコピー設定を行うための画面切り替えを行う。３１０２はスキャンした画像をファックスや電子メールで送信する設定を行うための画面切り替えを行う。３１０３は内蔵ＨＤに格納されたスキャン画像を印字、あるいは送信する設定を行うための画面切り替えを行う。３１０４は３１０５のよって設定された画像読み込み時の設定を表示するためのウィンドウである。３１０５は画像読み込み時の解像度、濃度などを設定する。３１０６はタイマー送信時のタイマー設定、ＨＤあるいはプリンタに印字する場合の設定などを行う。３１０７は３１０８によって指定された送信宛先の表示を行う。３１０９は３１０７に表示された１宛先の詳細な情報の表示を行う。３１１０は３１０７に表示された１宛先の消去を行う。
【００２９】
図８は３１０５を押下したときに表示されるポップアップウィンドウである。３２０１は読みとり原稿サイズをポップアップのなかから選択入力し、設定された読みとりサイズは３２０２に表示される。３２０３は原稿の読み取りモードを選択するところであり、押下するとカラー／ブラック／自動（ＡＣＳ）の３種類が選択できる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。３２０４は読みとりの解像度を指定するためポップアップからの選択入力になる。３２０５は原稿の読み取り濃度を調整するためのスライダーであり、９段階の調整が行える。３２０６は新聞のように下地がかぶった画像を読み込む場合に、濃度を自動的に決定するためにある。
【００３０】
図９にソフト構成図を示す。４０１０は表示操作部を制御するＵＩ制御部、ＵＩ制御部からの指示を受け、機器制御部分にコピージョブ、送信ジョブを実行させるためのコピーアプリケーション部４０２０、送信アプリケーション部４０２１、また、画像を一時格納するためのＢＯＸアプリケーション部４０２２がある。またネットワークアプリケーションからのデータをうけＰＤＬプリントジョブを投入するＰＤＬアプリケーション部４０２３がある。
【００３１】
４０３０は機器制御部分の機器依存部分を吸収するための共通インタフェース部分、４０４０は共通インタフェースから受け取ったジョブ情報を整理し下位層のドキュメント処理部に伝達するジョブマネージャで、ドキュメント処理部はローカルコピーであればスキャンマネージャ４０５０とプリントマネージャ４０９０、リモートコピーの送信ジョブ、あるいは送信ジョブであればスキャンマネージャ４０５０とストアマネージャ４１００、リモートコピーの受信ジョブであればファイルリードマネージャ４０６０とプリントマネージャ４０９０、ＬＩＰＳやＰｏｓｔＳｃｒｉｐｔなどのＰＤＬプリントではＰＤＬマネージャ４０７０とプリントマネージャ４０９０である。各ドキュメントマネージャ間の同期とり、および画像処理の依頼はシンクマネージャ４０８０を介して行う。スキャン、プリント時の画像処理や画像ファイルの格納はイメージマネージャ４１１０が行う。
【００３２】
まずローカルコピーのソフト処理について説明する。使用者の指示によりＵＩ制御部４０１０からコピー指示とともにコピーの設定がコピーアプリケーション部４０２０に伝わる。コピーアプリケーション部４０２０はＵＩ制御部４０１０からの情報を共通インタフェース４０３０を介して、機器制御を行うジョブマネージャ４０４０に伝える。ジョブマネージャ４０４０はスキャンマネージャ４０５０とプリントマネージャ４０９０にジョブの情報を伝達する。スキャンマネージャ４０５０はデバイスＩ／Ｆ２０２０を介してスキャナ２０７０にスキャン要求を行う。
【００３３】
また、同時にシンクマネージャ４０８０を介してイメージマネージャ４１１０に画像処理要求を出す。イメージマネージャ４１１０はスキャンマネージャ４０５０の指示に従って、スキャナ画像処理部２０８０の設定を行う。設定が完了したら、シンクマネージャ４０８０を介してスキャン準備完了を伝える。その後スキャンマネージャ４０５０はスキャナ２０７０に対してスキャンを指示する。スキャン画像転送完了は図示しないハードウェアからの割り込み信号によってイメージマネージャ４１１０に伝わる。
【００３４】
イメージマネージャ４１１０からのスキャン完了を受けてシンクマネージャ４０８０はスキャン完了をスキャンマネージャ４０５０、プリントマネージャ４０９０に伝える。同時にシンクマネージャ４０８０はＲＡＭ２００２に蓄積された圧縮画像をＨＤＤ２００４にファイル化するためイメージマネージャ４１１０に指示する。イメージマネージャ４１１０は指示に従ってメモリ上のＪＰＥＧ画像（文字／写真判定信号を含めて）ＨＤＤ２００４に格納する。
【００３５】
画像の付随情報として図示しないＳＲＡＭにカラー判定／白黒判定結果、画像入力元としてスキャン画像、色空間ＲＧＢも格納しておく。また、ＨＤＤ２００４への格納が終了し、スキャナ２０７０からのスキャン完了を受けたら、シンクマネージャ４０８０を介してスキャンマネージャ４０５０にファイル化終了を通知する。スキャンマネージャ４０５０はジョブマネージャ４０４０に対して終了通知を返し、ジョブマネージャ４０４０は共通インタフェース４０３０を介してコピーアプリケーション部４０２０へ返す。
【００３６】
プリントマネージャ４０９０はメモリに画像が入った時点でデバイスＩ／Ｆ２０２０を介して、プリンタ２０９５に印刷要求をだす。シンクマネージャ４０８０にプリント画像処理要求を行う。シンクマネージャ４０８０はプリントマネージャ４０９０から要求を受けたら画像処理設定をイメージマネージャ４１１０に依頼する。イメージマネージャ４１１０は前記の画像の付随情報に従ってプリンタ画像処理部２０９０の設定を行い、シンクマネージャ４０８０を介してプリントマネージャ４０９０にプリント準備完了を伝える。プリントマネージャ４０９０はプリンタに対して印刷指示を出す。
【００３７】
プリント画像転送完了は図示しないハードウェアからの割り込み信号によってイメージマネージャ４１１０に伝わる。イメージマネージャ４１１０からのプリント完了を受けてシンクマネージャ４０８０はプリント完了をプリントマネージャ４０９０に伝える。プリントマネージャ４０９０はプリンタ部からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部に通知する。
【００３８】
リモートコピーのスキャンジョブ、送信ジョブの場合は、プリントマネージャ４０９０に代わってストアマネージャ４１００がジョブマネージャ４０４０からの要求を受ける。スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。コピーアプリケーション部４０２０、送信アプリケーション４０２１はこの通知のあと、ネットワークアプリケーション４４２０にＨＤＤに格納されたファイルの送信を依頼する。依頼を受けたネットワークアプリケーション４４２０がファイルを送信する。
【００３９】
ネットワークアプリケーション４４２０はジョブ開始時にコピーアプリケーション部４０２０からコピーに関する設定情報を受け、それもリモート側に通知する。ネットワークアプリケーション４４２０はリモートコピーの場合、機器固有の通信プロトコルを使用して送信を行う。また送信ジョブの場合はＦＴＰ、ＳＭＢのような標準的なファイル転送プロトコルを使用する。ファックス送信する場合はファイルが格納後、送信アプリケーション４０２１から共通インタフェース４０３０、ジョブマネージャ４０４０を介してＦＡＸマネージャ４０４１に送信が指示される。また、送信先にプリンタがある場合、送信アプリケーションは共通インタフェース４０００を介してプリントジョブとしてプリントの指示を行う。そのときの動作は以下で説明するリモートコピーのプリントジョブの場合と同様である。また、送信宛先が機器内のボックス宛先になっているときは機器内のファイルシステムに格納する。
【００４０】
リモートコピーのプリントジョブの場合は、送信側からの画像をネットワークアプリケーション４４２０がＨＤＤに保存するとともにコピーアプリケーション部４０２０に対してジョブを発行する。コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。受信画像をＨＤＤからメモリに展開するための要求をシンクマネージャ４０８０を介して、イメージマネージャ４１１０に行う。
【００４１】
イメージマネージャ４１１０はメモリに画像を展開する。イメージマネージャ４１１０は展開が終了した時点で、展開終了をシンクマネージャ４０８０を経由して、ファイルリードマネージャ４０６０とプリントマネージャ４０９０に伝える。プリントマネージャ４０９０はメモリに画像が入った時点でデバイスＩ／Ｆ２０２０を介して、プリンタ２０９５にジョブマネージャから指示された給紙段、もしくはその用紙サイズを有する段を選択し、印刷要求をだす。自動用紙の場合には画像サイズから給紙段を決定し印刷要求をだす。シンクマネージャ４０８０にプリント画像処理要求を行う。
【００４２】
シンクマネージャ４０８０はプリントマネージャ４０９０から要求を受けたら画像処理設定をイメージマネージャ４１１０に依頼する。（このときたとえば最適サイズ用紙がなくなり、回転が必要になれば別途回転指示も依頼する。回転指示があった場合にはイメージマネージャが画像回転２０３０を使って画像を回転する。）イメージマネージャ４１１０はプリンタ画像処理部２０９０の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。
【００４３】
イメージマネージャ４１１０からのプリント完了を受けてシンクマネージャ４０８０はプリント完了をファイルリードマネージャ４０６０とプリントマネージャ４０９０に伝える。ファイルリードマネージャ４０６０は終了通知をジョブマネージャ４０４０に返す。プリントマネージャ４０９０はプリンタ部からの排紙完了を受け、ジョブマネージャ４０４０に対して終了通知を返す。ジョブマネージャ４０４０は共通インタフェース４０３０を介してコピーアプリケーション部４０２０へ終了通知を返す。コピーアプリケーション部４０２０はスキャン、プリントが終了したらジョブ終了をＵＩ制御部に通知する。
【００４４】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーションがＰＤＬデータ展開格納ジョブを共通インタフェース４０３０を介してジョブマネージャ４０４０に指示する。このときＰＤＬマネージャ４０７０とストアマネージャ４１００がジョブマネージャ４０４０からの要求を受ける。画像の展開が終了し画像入力する部分に関しては前述のスキャンジョブと同様である。メモリ上のＪＰＥＧ画像（文字／写真判定信号を含めて）ＨＤＤ２００４に格納する。
【００４５】
画像の付随情報として図示しないＳＲＡＭにカラー／白黒情報、画像入力元としてＰＤＬ画像、色空間ＣＭＹＫも格納しておく。ＰＤＬをＨＤＤに格納し終わった時点で、シンクマネージャ４０８０から格納完了通知を受け、それを共通インタフェース４０３０を介してＰＤＬアプリケーション４０２３に通知する。ＰＤＬアプリケーション４０２３はこの通知のあと、ネットワークアプリケーション４４２０にＨＤＤに格納完了を通知し、ＰＤＬプリントを投入したホストＰＣへこの情報が伝達される。
【００４６】
ＰＤＬ展開され格納された画像のプリントはＵＩで印刷指示された格納文書をＢＯＸアプリケーションがジョブとして発行する。ＢＯＸアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。印刷指示された画像をＨＤＤからメモリに展開するための要求をシンクマネージャ４０８０を介して、イメージマネージャ４１１０に行う。この後の動作はリモートコピーのプリントジョブで説明した動作と同様のため、省略する。
【００４７】
次に本実施例の中心部となる機器の予約について説明する。
【００４８】
図１０に機器の予約に関わる部分のタスク構成について示す。４１０１はＲＵＩであり、機器外部のＰＣ上で動作する、Ｗｅｂブラウザを用いた汎用のユーザーインタフェースを示す。４１０３は機器に付属する操作部２０１２に表示を行うタスクである。４１０２はネットワークプロトコルをサポートしＲＵＩ４１０１とのやりとりを担う。時間割制御タスク４１０４はＲＵＩ４１０１、ＵＩ４１０３からの指示を受け、予約時間を管理する。メモリ管理４１０５はＳＲＡＭ４１０６への書き込み、読み出しを行うためのインタフェースである。
【００４９】
図１１に機器の予約を行うときのユーザーインタフェースを示す。大きく分けて左側が現在の予約状況確認用、右側が新規予約用である。
【００５０】
４２０１は日付、Ｓはスキャナ、Ｐはプリンタで４２０２は時間を示す。４２０１の下にある棒グラフはその日の予約状況を示している。たとえば４２０５は、８／２４の０６：００から２１：００は“石本”によってスキャナとプリンタが予約されているということを示している。４２０３と４２０４はほかの日の予約状況を確認するときに押下する、スクロールボタンである。
【００５１】
４２０６は新規予約する場合の予約者の名前を記入するとことである。４２０７は予約する日の日付、４２０８は予約時間、４２０９はパスワードを指定する。予約時間の変更や、削除にはここで入力したパスワードが必要になる。４２１０はジョブの種類を設定する。コピーならスキャナ、プリンタ両方が、スキャンならスキャナ、プリントならプリンタが予約される。４２１１は予約時間になったとき先行動作しているジョブがある場合の動作方法を設定する。予約内容に間違いがなければ、４２１２のＯＫボタンを押下する。
【００５２】
予約状況は画面の左側で確認できるが、その予約の詳細情報の表示が必要なときは、まず、詳細情報の必要な予約を押下する。その結果、４２０５のように予約時間に濃いハッチがかかり、選択状態になっていることを示す。この状態で、４２１３を押下すると図１２のように詳細表示がされる。また、４２１４を押下すると、図１３パスワード入力画面が表示され、パスワードを入力することで、図１４のように編集が可能になる。４２１５を押下すると同様にパスワード入力後に、図１５のような画面が表示されるのでＯＫキー押下により消去が可能になる。
【００５３】
メモリ管理４１０５およびＳＲＡＭ４１０６では図１６のようなデータを管理している。図１６はスキャナの予約状況についての管理データ構造を示している。４７０１は日付、４７０２は時間、４７０３は使用者、４７０４は実行中ジョブの処理、４７０５はパスワードのフィールドである。プリンタについても図示しないが同様の管理データを有している。時間管理タスク４１０４はこの管理データに基づいてＲＵＩ４１０１、ＵＩ４１０３からの変更、追加要求を処理する。この動作を図１７、４９００、５０００のフローチャートに示す。
【００５４】
最初にジョブの新規登録、図１７である。４８０１でＵＩ，ＲＵＩからの日付、時間、登録者、実行中ジョブ処理、ジョブ種、パスワード情報を受け取る。４８０２で受け取った情報に不備がある場合は、４８０１へ戻り、再度入力を求める。すべての項目が入力されているなら、４８０３でジョブ種の判定を行う。ここではスキャンジョブなら、４８０５へ、そうでないなら４８０４でジョブ種がプリントジョブかどうかを判断する。プリントジョブなら４８０６へそうでないならコピージョブなので、４８０７へ処理を進める。４８０５ではＳＲＡＭ上に格納されている、図１６のような予約状況の時間と、新規登録しようとしている時間を比較する。
【００５５】
同様に、４８０６ではプリントジョブについて、４８０７ではスキャン、プリント両方のジョブに対して比較を行う。４８０８，４８０９，４８１０ではそれぞれ、比較した時間と、新規登録しようとしている時間が重なっているかどうかを判断し、重なっていなければ、それぞれ、４８１１，４８１２，４８１３へ処理をすすめ、それぞれスキャンジョブに登録、プリントジョブに登録、スキャンおよびプリントジョブに登録を行う。時間が重なっている場合は４８１４において登録ができないというエラーを返す。
【００５６】
つぎにジョブの削除、図１８である。４９０１でＵＩ，ＲＵＩからの日付、時間、登録者、ジョブ種、パスワード情報を受け取る。４９０２で受け取った情報に不備がある場合は、４９０１へ戻り、再度入力を求める。すべての項目が入力されているなら、４９０３でジョブ種の判定を行う。ここではスキャンジョブなら、４９０５へ、そうでないなら４９０４でジョブ種がプリントジョブかどうかを判断する。プリントジョブなら４９０６へそうでないならコピージョブなので、４９０７へ処理を進める。４９０５ではＳＲＡＭ上に格納されている、図１６のような予約状況の時間と、削除しようとしている日付、時間、登録者、パスワードを比較する。
【００５７】
同様に、４９０６ではプリントジョブについて、４９０７ではスキャン、プリント両方のジョブに対して比較を行う。４９０８，４９０９，４９１０ではそれぞれ、削除しようとしている日付、時間、登録者、パスワードが一致しているかどうかを判断し、一致していれば、それぞれ、４９１１，４９１２，４９１３へ処理をすすめ、それぞれスキャンジョブから削除、プリントジョブから削除、スキャンおよびプリントジョブから削除を行う。一致しない場合は４９１４において削除ができないというエラーを返す。
【００５８】
予約時間の移動は削除と、新規登録を連続的に行うことにより、実現可能である。
【００５９】
予約情報を取得する場合のフローチャートを図１９に示す。
【００６０】
５００１でＵＩ，ＲＵＩからの日付、ジョブ種を受け取る。５００２で受け取った情報に不備がある場合は、５００１へ戻り、再度入力を求める。すべての項目が入力されているなら、５００３でジョブ種の判定を行う。ここではスキャンジョブなら、５００５へ、そうでないなら５００４でジョブ種がプリントジョブかどうかを判断する。プリントジョブなら５００６へそうでないならコピージョブなので、４９０７へ処理を進める。
【００６１】
５００５、５００６、５００７では各ジョブ種に応じて、現在登録されている情報をすべて返す。必要日数分繰り返すことで、図１１の表示が可能になる。
【００６２】
時間割制御タスク４１０４は図示しないタイマーからのメッセージを１分毎に受けており、１分単位で登録されている予約リストをみて、予約開始時刻と予約終了時刻にＵＩ、ＲＵＩに対して、通知をすることができる。この機能によって、ＵＩ，ＲＵＩは予約者のみが機能を使えるよう、画面を制御することができる。たとえば、図２０のような表示を行い、正しいパスワードが入力されたときに操作部の機能を解放するようにすればよい。
【００６３】
【発明の効果】
以上説明したように、本発明によって、予約時刻や時間を確認が容易にできるようになった。また、予約の変更や削除方法も簡単にできる。さらにはスキャナ、プリンタを別々に使用するジョブも予約リストを独立にもつことで実現できる。
【図面の簡単な説明】
【図１】画像形成システムの全体構成を示す図
【図２】画像形成装置の全体構成を示す図
【図３】本発明のスキャナ画像処理のブロック図
【図４】画像形成装置の入出力デバイス外観図
【図５】画像形成装置の操作部外観図
【図６】本発明の一実施形態のシステム構成を示すブロック図
【図７】本発明の操作部の送信画面の説明図
【図８】本発明の操作部の送信画面の説明図
【図９】本発明のソフト構成を示すソフト構成図
【図１０】本発明の予約時間管理に関わる部分のタスク構成図
【図１１】本発明の予約状況の一例を示す操作部画面
【図１２】本発明の予約状況の詳細表示の一例を示す操作部画面
【図１３】本発明の予約状況のパスワード入力画面
【図１４】本発明の予約状況の編集の一例を示す操作部画面
【図１５】本発明の予約状況の削除の一例を示す操作部画面
【図１６】予約状況の一例を示すリスト
【図１７】予約の新規登録の動作フローチャート
【図１８】予約の削除の動作フローチャート
【図１９】予約の情報取得の動作フローチャート
【図２０】予約時間中の操作部ロックの一例を示す操作部画面
【符号の説明】
２０１２　操作部
２０７０　スキャナ部
２０９５　プリンタ部
【図１】
2004032054.tif 000003
【図２】
2004032054.tif 000004
【図３】
2004032054.tif 000005
【図４】
2004032054.tif 000006
【図５】
2004032054.tif 000007
【図６】
2004032054.tif 000008
【図７】
2004032054.tif 000009
【図８】
2004032054.tif 000010
【図９】
2004032054.tif 000011
【図１０】
2004032054.tif 000012
【図１１】
2004032054.tif 000013
【図１２】
2004032054.tif 000014
【図１３】
2004032054.tif 000015
【図１４】
2004032054.tif 000016
【図１５】
2004032054.tif 000017
【図１６】
2004032054.tif 000018
【図１７】
2004032054.tif 000019
【図１８】
2004032054.tif 000020
【図１９】
2004032054.tif 000021
【図２０】
2004032054.tif 000022